(57)【要約】      （修正有）【課題】催涙スプレーを備えた威嚇盾を体裁よく隠した威嚇盾と装飾パネルセットを提供する。【解決手段】盾本体11と該盾本体に設けられた取手12からなり、催涙スプレー50を盾本体11の前方に噴射可能に仕込んだ威嚇盾１と、該威嚇盾が略起立した状態で取付け手段３を介して該盾本体11の前面に被さる様に且つ盾本体から相対的に離脱可能に取り付けられる装飾パネル２とからなる。【選択図】図１
0003110392.tif 000002
【実用新案登録請求の範囲】
【請求項１】
盾本体(11)と該盾本体(11)に設けられた取手(12)からなり、威嚇手段(５)である催涙スプレー、インキスプレー等の威嚇用スプレー(50)を盾本体(11)の前方に噴射可能に仕込んだ威嚇盾(１)と、該威嚇盾(１)が略起立した状態で取付け手段(３)を介して盾本体(11)の前面を覆う様に取り付けられる装飾パネル(２)とからなり、盾本体(11)は装飾パネル(２)から引き離し可能に取付け手段(３)上に配備されている、威嚇盾と装飾パネルのセット。
【請求項２】
盾本体(11)と該盾本体(11)に設けられた取手(12)からなり、威嚇手段(５)であるスタンガン等の電撃器を、盾本体(11)から放電可能に仕込んだ威嚇盾(１)と、該威嚇盾(１)が略起立した状態で取付け手段(３)を介して盾本体(11)の前面を覆う様に取り付けられる装飾パネル(２)とからなり、盾本体(11)は装飾パネル(２)から引き離し可能に取り付け手段(３)上に配備されている、威嚇盾と装飾パネルのセット。
【請求項３】
取付け手段(３)は、装飾パネル(２)を具えカウンターテーブル等の設置面に置かれるべき台部材(30)上に、威嚇盾(１)を装飾パネル(２)との適正間隔を保って位置決めして着脱可能に載せる載せ部(34)を形成している、請求項１又は２に記載の威嚇盾と装飾パネルのセット。
【請求項４】
台部材(30)上、又は装飾パネル(２)の何れかに警報ブザー(４)が設けられ、威嚇盾(１)に該威嚇盾(１)を台部材(30)上の載せ部(34)に載せることによって、警報ブザー(４)のスイッチをＯＦＦにし、威嚇盾(１)を台部材(30)から離すことによって該スイッチをＯＮにするスイッチ操作手段(18)を具えている請求項３に記載の威嚇盾と装飾パネルのセット。
【請求項５】
威嚇盾(１)に警報ブザー(４)が設けられ、台部材(30)又は装飾パネル(２)には威嚇盾(１)が載せ部(34)に載ることによって、警報ブザー(４)のスイッチをＯＦＦにし、威嚇盾(１)を台部材(30)上から離すことによって該スイッチをＯＮにするスイッチ操作手段を有している、請求項３に記載の威嚇盾と装飾パネルのセット。
【請求項６】
載せ部(34)は、威嚇盾(１)の下端を受ける切欠(34a)であり、該切欠(34a)の後方には該切欠上の威嚇盾(１)を後方に引っ張った際に、該威嚇盾(１)の下端が台部材(30)に引っ掛かることを防止する引っ掛かり防止手段(34b)が形成されている、請求項３乃至５の何れかに記載の威嚇盾と装飾パネルのセット。
【請求項７】
装飾パネル(２)は、面発光バックライト及び該バックライトから背面を照射される装飾シートを収容するためのシート収容部(27)を有する薄形面発光パネルである、請求項１乃至６の何れかに記載の威嚇盾と装飾パネルのセット。
【考案の詳細な説明】
【技術分野】
【０００１】
本考案は、コンビニエンスストアーのレジカウンター、金融機関の受付窓口等、強盗に狙われ易いところに置いておく威嚇盾と、該威嚇盾を体裁よく隠す装飾パネルのセットに関するものである。
【背景技術】
【０００２】
盾本体と取手から成り、催涙スプレー等の威嚇手段を仕込んだ威嚇盾が提案されている(特許文献１)。
非常時には、威嚇盾を手にして相手の刃物等から身を守り、催涙スプレー液等を噴射して応戦できる。
【０００３】
【特許文献１】特許第３６０６５７２号公報
【考案の開示】
【考案が解決しようとする課題】
【０００４】
上記威嚇盾は、前記レジカウンター、受付窓口に置いて非常時に備えるのであるが、威嚇盾が客から見えると体裁が悪く、又、店の雰囲気に馴染まない。客から見えない様にレジカウンターや受付窓口から離れた位置に置いておくと、非常時に役立たない。威嚇盾は、レジカウンターや窓口業務の人の手の届く位置に置いておくことが不可欠である。
本考案は、レジカウンターや受付窓口に携わる人の手の届く位置に威嚇盾を置くことと、威嚇盾を客から隠すことを同時に実現した威嚇盾と該盾を体裁よくカバーできる装飾パネルのセットを明らかにするものである。
【課題を解決するための手段】
【０００５】
請求項１の威嚇盾(１)と装飾パネル(２)のセットにおいて、威嚇盾(１)は、盾本体(11)と該盾本体(11)に設けられた取手(12)からなり、威嚇盾(１)には、催涙スプレー、インキスプレー等の威嚇用スプレー(50)が、スプレー液を盾本体(11)の前方に噴射可能に仕込まれている。装飾パネル(２)は、該威嚇盾(１)が略起立した状態で取付け手段(３)を介して盾本体(11)の前面を覆う様に取り付けられる。
盾本体(11)は装飾パネル(２)から引き離し可能に取付け手段(３)上に配備されている。
【０００６】
請求項２の威嚇盾(１)と装飾パネル(２)のセットにおいて、威嚇盾(１)は、盾本体(11)と該盾本体に設けられた取手(12)からなり、威嚇盾(１)には、威嚇手段(５)であるスタンガン等の電撃器を、盾本体(11)から放電可能に仕込まれている。装飾パネル(２)は、該威嚇盾(１)が略起立した状態で取付け手段(３)を介して盾本体(11)の前面を覆う様に取り付けられる。
盾本体(11)は装飾パネル(２)から引き離し可能に取付け手段(３)上に配備されている。
【０００７】
請求項３は、請求項１又は２の威嚇盾(１)と装飾パネル(２)のセットにおいて、取付け手段(３)は、装飾パネル(２)を具えカウンターテーブル等の設置面に置かれるべき台部材(30)上に、威嚇盾(１)を装飾パネル(２)と適正間隔を保って位置決めして着脱可能に載せる載せ部(34)を形成している。
【０００８】
請求項４は、請求項３の威嚇盾(１)と装飾パネル(２)のセットにおいて、台部材(30)上、又は装飾パネル(２)の何れかに警報ブザー(４)が設けられ、威嚇盾(１)は該威嚇盾(１)を台部材(30)上の載せ部(34)に載せることによって、警報ブザー(４)のスイッチをＯＦＦにし、威嚇盾(１)を台部材(30)から離すことによって該スイッチをＯＮにするスイッチ操作手段(18)を具えている。
【０００９】
請求項５は、請求項３の威嚇盾(１)と装飾パネル(２)のセットにおいて、威嚇盾(１)に警報ブザー(４)が設けられ、台部材(30)又は装飾パネル(２)には威嚇盾(１)が載せ部(34)に載ることによって、警報ブザー(４)のスイッチをＯＦＦにし、威嚇盾(１)を台部材(30)から離すことによって該スイッチをＯＮにするスイッチ操作手段(18)を有している。
【００１０】
請求項６は、請求項３乃至５の威嚇盾と装飾パネルのセットにおいて、載せ部(34)は、威嚇盾(１)の下端を受ける切欠(34a)であり、該切欠(34a)の後方には威嚇盾(１)を後方に引っ張った際に、該威嚇盾(１)の下端が台部材(30)に引っ掛かることを防止する引っ掛かり防止手段(34b)が形成されている。
【００１１】
請求項７は、請求項１乃至６の何れかに記載の威嚇盾(１)と装飾パネル(２)のセットにおいて、装飾パネル(２)は、面発光バックライト及び該バックライトから背面を照射されるシートを収容するシート収容部(27)を有する薄形面発光パネルである。
【考案の効果】
【００１２】
請求項１の威嚇盾(１)と装飾パネル(２)のセットを、レジカウンター或いは受付窓口に、装飾パネル(２)を客側に向けて置いておく。客からは威嚇盾(１)は装飾パネル(２)に隠れて見えないから、店の雰囲気を壊すことはない。
客を装った強盗が、レジカウンター或いは窓口業務の者を脅したり、襲い掛かってきた場合、業務者は、取付け手段(３)から威嚇盾(１)を外して武器にして応戦できる。
威嚇用スプレー(50)を相手に吹き付けて相手の戦意を喪失させ、或いは相手に目印を付けることができる。
通常は、威嚇盾(１)の客側には装飾パネル(２)が位置しているから、誤って威嚇用スプレー(50)を発射することがあっても、噴射液が客に直接に当たることは防止され、客に危害を与えることはなく、安全である。
装飾パネル(２)は、レジカウンター或いは窓口を美しく飾ることができる。
【００１３】
請求項２の威嚇盾(１)と装飾パネル(２)のセットは、電撃器からの放電によって強盗を失神させることができる。
【００１４】
請求項３の威嚇盾(１)と装飾パネル(２)のセットは、台部材(30)上の載せ部(34)に威嚇盾(１)を載せると、台部材(30)上の装飾パネル(２)に隠れる様に位置決めされるから、装飾パネル(２)と威嚇盾(１)の位置関係に気を使う必要はない。
【００１５】
請求項４の威嚇盾(１)と装飾パネル(２)のセットは、威嚇盾(１)を台部材(30)から持ち上げると、自動的に警報ブザー(４)のスイッチがＯＮして警報を発するから、襲い掛かってきた相手を躊躇させると共に、非常事態を知らせることができる。前記の如く、台部材(30)上の載せ部(34)に威嚇盾(１)を載せると、装飾パネル(２)と威嚇盾(１)の位置関係は決まるから、該位置関係のズレによって、スイッチが正常に機能しないことを防止できる。
【００１６】
請求項５の威嚇盾(１)と装飾パネル(２)のセットは、威嚇盾(１)を台部材(30)から持ち出して強盗を追いかけても、威嚇盾(１)に警報ブザー(４)が設けられているから、応戦場所等、助けを求めたい場所で警報ブザーを鳴らすことができる。
【００１７】
請求項６の威嚇盾(１)と装飾パネル(２)のセットでは、載せ部(34)である切欠(34a)に連続して威嚇盾(１)に対する後方への引っ掛かり防止手段(34b)が形成されているから、威嚇盾(１)を後方に引っ張った際に、該威嚇盾(１)の下端が台部材(30)に引っ掛かることはなく、威嚇盾(１)を台部材(30)から速やかに取り出しでき、咄嗟の場合に対応し易い。
【００１８】
請求項７の威嚇盾(１)と装飾パネル(２)のセットは、装飾パネル(２)は装飾シートを背面から面発光のバックライトで照らして、鮮やかに見せることができ、装飾シートに宣伝用文字や絵を表しておくことにより、宣伝効果を高めることができる。
【考案を実施するための最良の形態】
【００１９】
図１は、取付け手段(３)である台部材(30)上に、威嚇盾(１)と装飾パネル(２)をセットした状態を、斜め後方から見た図、図２は、台部材(30)から威嚇盾(１)と装飾パネル(２)を外した状態を示している。
威嚇盾(１)は、公知の如く、盾本体(11)の背面に取手(12)を設けて形成され、威嚇手段(５)である威嚇用スプレー(50)を具えている。
実施例の盾本体(11)は、ポリカーボネート等の高強度の透明樹脂板であり、縦長さ約３６cm、横長さ約２８cmの縦長長方形に形成されている。
楯本体(11)の裏面に、上下に２本の筒状支持部(13)を突設し、両支持部(13)の先端側を握り部材(14)で連結して取手(12)が形成されている。
図３に示す如く、楯本体(14)には、支持部(13)の軸芯位置に対応して小孔(10)が開設されている。
又、盾本体(11)の背面下端に、後記する警報ブザー(４)の第２スイッチ(図示せず)をＯＮ−ＯＦＦするスイッチ操作手段(18)を設けている。
実施例のスイッチ操作手段(18)は、樹脂ケース(19)に内蔵された磁石(図示せず)である。
【００２０】
威嚇用スプレー(50)は、催涙スプレー、カラーインキスプレー等であって、スプレー缶(51)をその先端ノズル(52)を盾本体(11)に向けて前記２つの筒状支持部(13)(13)内に挿入される。支持部(13)の先端には軟質ゴムキャップ(15)がスプレー缶(51)の底面に当たる様に装着されている。
【００２１】
筒状支持部(13)内には、スプレー缶(51)のノズル(52)が盾本体(11)の裏面から離れる様に付勢するバネ(17)が内蔵される。
又、筒状支持部(13)には、スプレー缶(51)の括れ部に係合する安全ピン(16)が支持部(13)の周壁を貫通して挿入されている。安全ピン(16)が係合したスプレー缶(51)は、ノズル(52)が盾本体(11)の裏面から僅か離れる位置にある。
２つの安全ピン(16)(16)はチェーン等の索(16a)で繋がっており、該索(16a)を引っ張ると２つの安全ピン(16)(16)を同時に外すことができる。
【００２２】
装飾パネル(２)は、実施例では面発光バックライト付きの薄型面発光パネルである。
該薄型面発光パネルは、裏板(21)、裏板の内面凹み部(22)に配備され透明樹脂にて形成された乱反射板(23)、乱反射板を挟み該板の端面に対向して配備した２本の棒状ランプ(24)(24)、乱反射板(23)及び棒状ランプ(24)に被さる半透明の乳白色板(25)、該乳白色板(25)に被さり前記裏板(21)にネジ止め固定された透明表板(26)とによって構成された公知の構成である。
乳白色板(25)と表板(26)との間に、装飾フィルム等の透光性装飾用シート(図示せず)を収容するシート収容部(27)が形成されている。
棒状ランプ(24)の光が乱反射板(23)内で乱反射して乳白色板(25)から面発光し、ディスプレー用シートを背面から照射するのである。
装飾パネル(２)の大きさは、前記威嚇盾(１)の盾本体(11)よりも少し大きく形成されている。
【００２３】
威嚇盾(１)と装飾パネル(２)をセットするための台部材(30)は、平板状の長方形のベース板(31)の両端に、平行に高さの低い壁板(32)(32)を突設し、両壁板(32)(32)に、威嚇盾(１)と装飾パネル(２)を略起立状態に且つ、両者の間を適正間隔に保って位置決めして載せる載せ部(33)(34)を形成している。
載せ部(33)(34)は、上記両壁板(32)(32)に、威嚇盾(１)の盾本体(11)の厚みに対応する切欠(34a)(34a)及び装飾パネル(２)の下端部の厚みに対応する切欠(33a)(33a)を開設して形成されている。
前側の両切欠(33a)(33a)が装飾パネル(２)に対する載せ部(33)、後側の両切欠(34a)(34a)が威嚇盾(１)に対する載せ部(34)となっており、載せ部(33)(34)に装飾パネル(２)と威嚇盾(１)を載せると、両者は少し後方へ傾いた状態に保持される。
上記壁板(32)(32)の後部間は補強壁(35)で繋がっている。
【００２４】
台部材(30)の後部に、警報ブザー(４)が取り付けられている。警報ブザー(４)は、第１スイッチ(42)と第２スイッチ(図示せず)を有している。第１スイッチ(42)は、人手によってＯＮ−ＯＦＦする。第２スイッチは、前記威嚇盾(１)のスイッチ操作手段(18)が接近して対向したときにＯＦＦとなり、台部材(30)から威嚇盾(１)が持ち上げられて、スイッチ操作手段(18)が警報ブザー(４)から離れた状態となるとＯＮになる。
【００２５】
然して、台部材(30)に威嚇盾(１)と装飾パネル(２)をセットとし、警報ブザー(４)の第１スイッチ(42)をＯＮにする。この状態では、威嚇盾(１)のスイッチ操作手段(18)が第２スイッチをＯＦＦしているから、警報ブザー(４)の回路は遮断されており、ブザー音を発することはない。
装飾パネル(２)は、威嚇盾(１)よりも大きく形成されているから、装飾パネル(２)を客側にして、レジカウンター、窓口等に置くことにより、威嚇盾(１)の存在を客から隠すことができ、店の雰囲気を壊さない。
【００２６】
客を装った強盗が、レジカウンター或いは窓口業務の者を脅したり、襲い掛かってきた場合、業務者は、取付け手段(３)から威嚇盾(１)を外し、威嚇盾(１)を武器にして応戦できる。
威嚇用スプレー(50)の安全ピン(16)に繋がった索(16a)を引っ張って、安全ピン(16)を外し、バネ(17)に抗してゴムキャップ(15)を押すと、威嚇用スプレー(50)のノズル(52)が盾本体(11)の裏面に押され、スプレー液が盾本体(11)の小孔(10)から前方に噴射するから、これを相手に吹き付けて相手の戦意を喪失させ、或いは相手に目印を付けることができる。
威嚇盾(１)の盾本体(11)は透明板で形成されており、盾本体(11)で自身の顔を防御しても、相手を見ながらスプレー液を噴射できるので、命中精度は高い。
【００２７】
台部材(30)上に、威嚇盾(１)と装飾パネル(２)をセットし、レジカウンターに設置した状態で、誤ってスプレー液を発射することがあっても、スプレー液が客に直接に当たることは防止され、安全である。
【００２８】
実施例では、台部材(30)に警報ブザー(４)を設けたが、装飾パネル(２)に警報ブザー(４)を設け、威嚇盾(１)の該警報ブザー(４)との対応位置にスイッチ操作手段(18)を配備しても、威嚇盾(１)を台部材(30)から持ち上げたときに、警報ブザー(４)を鳴らすことができる。
【００２９】
又、威嚇盾(１)に警報ブザー(４)を設け、台部材(30)又は装飾パネル(２)にスイッチ操作手段(18)を設けて、威嚇盾(１)が載せ部(34)に載ることによって、警報ブザー(４)の第２スイッチをＯＦＦにし、威嚇盾(１)を台部材(30)から離すことによって該スイッチをＯＮにすることもできる。
この場合、威嚇盾(１)を台部材(30)から持ち出して強盗を追いかけても、威嚇盾(１)に警報ブザー(４)が設けられているから、応戦場所等、助けを求めたい場所で警報ブザーを鳴らすことができる。
【００３０】
図５は、他の実施例の台部材(30)に威嚇盾(１)と装飾パネル(２)をセットした状態を示している。
台部材(30)の威嚇盾(１)に対する切欠(34a)の後方に、威嚇盾(１)を後方へ引っ張っても、盾本体(11)の下端が台部材(30)に引っ掛からない様にするための引っ掛かり防止手段(34b)を形成している。
実施例の引っ掛かり防止手段(34b)は、壁板(32)に切欠(34a)の底部に連続して後方へ斜め上向きに延びる案内斜面(34c)を形成している。
威嚇盾(１)の位置は、盾本体(11)が切欠(34a)の前側壁面に当たることで決まり、取手(12)の下側支持部(13)が台部材(30)の補強壁(35)に載ることで、補強盾(１)の傾きが決まる。
威嚇盾(１)を後方に引っ張ると、矢印に示す様に威嚇盾(１)は、切欠(34a)に連続する案内斜面(34c)を滑って移動し、台部材(30)に引っ掛かることなく、速やかに威嚇盾(１)を台部材(30)から取り出すことができ、咄嗟の場合に対応し易い。
【００３１】
尚、切欠(34a)の後方に該切欠(34a)の底部に連続して該底部と同じ高さの平面、或いは該底部より低い平面を壁板(32)(32)の後端へ繋がる様に形成して、引っ掛かり防止手段とすることもできる。
【００３２】
本考案の実施に際し、威嚇スプレー(50)をガン(拳銃)タイプとして盾本体(11)裏面の適所に固定し、トリガーを引いて盾本体の前方に、スプレー液を噴射させることもできる。
【００３３】
本考案の実施に際し、威嚇手段(５)は、威嚇スプレー(50)に限定されることはなく、スタンガン等の放電電撃器でも可い。
【００３４】
又、警報ブザー(４)の第２スイッチをリミットスイッチとし、威嚇盾(１)、台部材(30)、装飾パネル(２)の何れかに当たって該スイッチをＯＦＦにし、威嚇盾(１)を台部材(30)から持ち上げたときに、該スイッチがＯＮする様にすることもできる。
【図面の簡単な説明】
【００３５】
【図１】台部材に上に、威嚇盾と装飾パネルをセットした状態の斜面図である。
【図２】台部材から威嚇盾と装飾パネルを外した状態の斜面図である。
【図３】威嚇スプレー取付け状態の断面図である。
【図４】図２Ａ−Ａ線に沿う断面図である。
【図５】他の実施例に威嚇盾と装飾パネルをセットした状態の要部側面図である。
【符号の説明】
【００３６】
１  威嚇盾
11  盾本体
12  取手
２  装飾パネル
３  取付け手段
30  台部材
４  警報ブザー
５  威嚇手段
50  威嚇スプレー
【図１】
0003110392.tif 000003
【図２】
0003110392.tif 000004
【図３】
0003110392.tif 000005
【図４】
0003110392.tif 000006
【図５】
0003110392.tif 000007